(57)【特許請求の範囲】
【請求項１】
手で握れる直尺状の本体ゲージの中央に本体ゲージの基準線を設け、前記本体ゲージの基準線から左右長手方向に沿って互いに逆方向の目盛を有し、測定本体の上下正面に測定部と中央側面に側面指示を設け、前記測定本体を前記本体ゲージの前記本体ゲージの基準線の左右に個々に装着し、前記目盛に沿って独立して平行に移動することができ、前記本体ゲージの前記本体ゲージの基準線の背面に指針装着部を設け、前記指針装着部の両先端の上下正面に指針を挿入する挿入口と上部前面に指針指示を備え、前記指針装着部に挿入する前記指針先端は、前記本体ゲージの基準線に沿って上下に移動することができて、左右の上下正面の前記測定部側面に沿って平行の動きと、前記測定部先端と垂直の動きを持つ構造を有し、立体的な形を持つ彫刻の中心線に前記指針先端を当て、前記中心線の両側の測定箇所に左右の前記測定部を直接当てて、前記中心線から前記測定箇所の巾と高低差を同時に測定することができること、を特徴とする測定器。
【請求項２】
前記指針装着部の前記指針指示を、前記本体ゲージの前記本体ゲージの基準線正面の上部前面に設け、前記指針指示の位置を上下の前記測定部先端の長さの基点とし、前記基点から制作で求める上下の前記測定部先端間の全長２分の１の長さを上下の前記測定部先端に振り分けることで、前記本体ゲージの基準線の左右に装着している前記測定本体の上下正面から長さの異なる上下の前記測定部が構成される基点が、前記指針装着部の前記指針指示に有ること、を特徴とする請求項１に記載の測定器。
【請求項３】
前記指針は、上下の前記測定部先端間の長さと前記指針の長さを同じ長さにし、前記指針先端から全長２分の１の長さの正面に指針の基準線を設け、前記指針の基準線の位置から前記指針の両先端部方向に逆目盛を備え、前記指針先端を鋭角にし、前記測定本体の上下の前記測定部の使用に合わせて、前記指針を前記指針装着部の前記挿入口の上部、又は、下部より挿入し、長さの異なる上下の前記測定部に同じ前記指針を用いて測定することが出来ること、を特徴とする請求項２に記載の測定器。
【発明の詳細な説明】
【技術分野】
【０００１】  本発明は、仏像彫刻、能面、彫塑などの立体的な作品を測定する時に用いる測定器で、主に制作する時に必要とし、制作する作品の中心線と中心線の片側、又は、両側の測定箇所に測定部を直接当てて、中心線から片側、又は、両側の測定箇所の巾と高低差を同時に測定することのできる測定器に関するものである。
【背景技術】
【０００２】  従来から彫刻の測定は、制作する材料の平面に物差し、又は、曲尺などを用いて図案の基本となる縦の中心線を引き、次に巾と高さの等分線に振り分け、その線を基準に図案を描き、作業を始める事によって、材料に描かれた図案は、徐々に立体的に変化し、変化した図案の測定を行なうには、作品の中心線と中心線の両側の測定箇所に段差ができて、曲尺、物差しなどを測定箇所に直接当てて測定する事は出来ず、目視で測定を行なっている状態である。
【発明の概要】
【発明が解決しようとする課題】
【０００３】  従来の目視の測定は、作品の測定箇所の中心線の上に物差し、又は、曲尺の中心部を宛がい、物差し、又は、曲尺の端を手で持って、中心線と測定箇所が水平になるように高さを調整し、水平になった状態で、物差し、又は、曲尺の目盛が測定箇所と垂直になっている位置の目盛を目視で確認しながら、巾と高低差の測定を行っている状態を、目視で無く直接測定器を用いて測定を行うことができるようにする。
【課題を解決するための手段】
【０００４】  本発明は、上記目的を解決するための測定器で、手で握れる直尺状の本体ゲージの中央に本体ゲージの基準線を設け、前記本体ゲージの基準線から左右長手方向に沿って互いに逆方向の目盛を有し、測定本体の上下正面に測定部と中央側面に側面指示を設け、前記測定本体を前記本体ゲージの前記本体ゲージの基準線の左右に個々に装着し、前記目盛に沿って独立して平行に移動することができ、前記本体ゲージの前記本体ゲージの基準線の背面に指針装着部を設け、前記指針装着部の両先端の上下正面に指針を挿入する挿入口と上部前面に指針指示を備え、前記指針装着部に挿入する前記指針先端は、前記本体ゲージの基準線に沿って上下に移動することができて、左右の上下正面の前記測定部側面に沿って平行の動きと、前記測定部先端と垂直の動きを持つ構造を有し、立体的な形を持つ彫刻の中心線に前記指針先端を当て、前記中心線の両側の測定箇所に左右の前記測定部を直接当てて、前記中心線から前記測定箇所の巾と高低差を同時に測定することができる。【０００５】  そして、前記指針装着部の前記指針指示を、前記本体ゲージの前記本体ゲージの基準線正面の上部前面に設け、前記指針指示の位置を上下の前記測定部先端の長さの基点とし、前記基点から制作で求める上下の前記測定部先端間の全長２分の１の長さを上下の前記測定部先端に振り分けることで、前記本体ゲージの基準線の左右に装着している前記測定本体の上下正面から長さの異なる上下の前記測定部が構成される基点が、前記指針装着部の前記指針指示に有ることで、作品の前記測定箇所の条件に合わせ上下の前記測定部の何れかを選び、前記測定箇所と前記測定部の測定し易い間隔を保ち前記測定箇所の前記中心線から片側、又は、両側の前記測定箇所の巾と高低差を測定するができる。【０００６】  そこで、前記指針は、上下の前記測定部先端間の長さと前記指針の長さを同じ長さにし、前記指針先端から全長２分の１の長さの正面に指針の基準線を設け、前記指針の基準線の位置から前記指針の両先端方向に逆目盛を備え、前記指針先端を鋭角にし、前記測定本体の上下の前記測定部の使用に合わせて、前記指針を前記指針装着部の前記挿入口の上部、又は、下部より挿入し、長さの異なる上下の前記測定部に同じ前記指針を用いて前記彫刻の前記中心線の片側、又は、両側の前記測定箇所に左右の前記測定部先端を当て、巾と高低差を測定することが出来る。
【発明の効果】
【０００７】  本発明の測定器は、上述したように造形の立体的な測定を、作品の中心線から片側、又は、両側の測定箇所の巾と高低差を正確迅速に測定するもので、測定方法は、本体ゲージの端の部分を手で軽く持って、作品の中心線と測定箇所が平行になる位置に、指針のツマミを持って指針先端を作品の中心線に軽く当て、中心線の片側、又は、両側の測定箇所に左右の測定本体を移動させながら、測定箇所に測定部側面、又は、測定部先端を直接当てることで、中心線から片側、又は、両側の測定箇所の巾を測定本体の側面指示で本体ゲージの目盛の値を確認し、高低差を指針装着部の指針指示で指針の目盛の値を確認することで、作品の中心線から片側、又は、両側面の測定箇所の巾と高低差を同時に測定することができる。【０００８】  それは、指針装着部の両先端の上下正面に指針を挿入する挿入口と指針指示を上部前面に備えた指針装着部を、本体ゲージ基準線の背面に取付けたことで、指針装着部の上部、又は、下部の挿入口より挿入する指針先端は、本体ゲージの基準線に沿って上下に直進移動することができて、測定する作品の中心線に指針先端を当て、中心線の片側、又は、両側の高低差のある測定箇所に上下測定部を当てることで、指針先端は、両側の測定箇所に当てた左右の上下測定部の測定する条件に合わせ、中心線に当てた指針先端は上下の動きによって、左右の上下測定部側面と平行の動きと、左右の上下測定部先端と垂直の動きを持って中心線を捉えて、片側の測定箇所、又は、両側の測定箇所の巾と高低差を測定することができる。【０００９】  そして、指針装着部の指針指示の位置を、本体ゲージ基準線正面の上部前面に設け、その位置から制作する上下測定部先端間の全長の２分の１の長さを、上下測定部先端に振り分けることで、測定本体の上下正面から長さの異なる上下測定部が構成され、構成された上下測定部先端間の長さと指針の長さを同じ長さにして、指針の片側先端を指針先端とし、指針先端から全長２分の１の長さの正面に目盛の基準線を設け、その指針を指針装着部の挿入口の上部、又は、下部より挿入し、指針の基準線を指針装着部の指針指示の位置に合わせ、その指針指示から指針先端までの長さは、上下測定部先端間の長さと同じ長さで、同じ長さの指針を上下測定部に用いることができて、測定箇所の条件に合わせ長さの異なる上下測定部の使い分けができることで、測定部と測定箇所の間隔を一定に保ち測定することができる。【００１０】  そこで、左右の上下測定部に用いることの出来る指針の指針先端を鋭角にし、指針先端の反対側端部の側面にツマミを取付けることで、指針先端が中心線を捉え易くなって、指針の上下の移動を滑らかにすることができて、又、指針先端から全長の２分の１の長さの正面に目盛の基準線を設け、その基準線から両先端方向に沿って逆方向の目盛を備えたことで、長さの異なる上下測定部に、同じ指針の基準線と目盛を用いることが出来て、上下測定部に合わせて指針装着部の挿入口の上部、又は、下部より指針を挿入し指針先端を作品の中心線に当て、中心線の片側、又は、両側の測定箇所に測定部先端を当てて、指針指示で指針の目盛の値を確認することで、中心線から片側の測定箇所、又は、両側の測定箇所の���低差を正確に測定することができる。【００１１】  そして、左右の測定本体と指針装着部の内面に取り付けたバネの弾力によって、左右の測定本体は、本体ゲージの目盛に沿って個々の移動を容易にし、中心線の両側の測定箇所に測定部を速やかに直接当てることができ、又、指針装着部に取付けたバネの弾力で、装着している指針の上下の動きを滑らかにし、中心線に当てた指針先端は上下の動きで、左右の測定本体の上下測定部先端、又は、上下測定部側面に合わせ、指針を任意の位置で動きを止めることができ、又、作品の測定した値を保持するには、測定する中心線と中心線の両側に当てた指針先端と測定部を測定に用いた状態で、指針と測定本体の動きを指針装着部と左右の測定本体に設けた止めネジで固定し、測定の値を保持し確認することができる。【００１２】  上記に記載した、本発明の測定器を用いて、お手本の図案と作品を基に制作する材料に図案を描き、作業を始めてから制作の状態を段階ごとに測定し確認するために、作品の中心線に指針先端と中心線の片側、又は、両側の測定箇所に測定部側面、又は、測定部先端を直接当てて、測定した値と図案の値を確認しながら制作を進め、又、制作を進める中で、お手本の作品から制作に必要とする箇所を測定し、測定した指針先端と測定部の動きを、指針装着部と左右の測定本体の止めネジで固定し、お手本の作品と制作中の作品の同じ測定箇所の中心線に指針先端と左右の測定箇所に測定部を直接当てて、制作の状態を確認しながら制作を進める事ができて、完成までお手本の図案と作品の要となる測定箇所を測定し、制作する作品に繰り返し測定箇所の値を写し、作品を完成することができる。【００１３】  上記に述べたように、制作する作品が徐々に立体的な形と成って行く中で、中心線を含め中心線の両側も多様な面に変化し、作品の測定する箇所も高低差のある測定条件に変わり、測定条件に合わせ、長さの異なる上下測定部の片方を選び作品の中心線に指針先端を当て、中心線の片側の測定箇所、又は、両側の測定箇所に測定部を直接当てて、本体ゲージの目盛を側面指示で巾の値を確認し、高低差を指針指示で指針の目盛の値を確認することで、中心線から片側の測定箇所、又は、両側の測定箇所の巾と高低差を同時に測定することが出来て、測定箇所と測定部の間隔を一定に保ちながら、作品の測定を確実に行うことで、技術の向上も速く、制作する作品の完成度もより優れ、本発明の特徴ある構造の測定器を用いて正確確実に完成まで仕上げることができる。
【図面の簡単な説明】
【００１４】
【図１】上測定部の正面図
【図２】下測定部の正面図
【図３】上測定部の背面図
【図４】上測定部の指針を取り外した正面側面図
【図５】上測定部の右側面図
【図６】指針正面図
【図７】上測定部を用いて額の中心線から頭の巾と額の高さの測定図
【図８】下測定部を用いて鼻の中心線から左右小鼻側面の巾と高さの測定図
【図９】下測定部を用いて鼻の中心線から片側の小鼻側面の巾と高さの測定図
【図１０】上測定部を用いて頭の左右側面の巾の測定図
【発明の実施するための形態】
【実施例１】
【００１５】  以下、本発明の実施の形態を図１〜図６に基づいて説明する。
図１〜図６は本体の構成図で、図１の本体ゲージ１は、手で握れる巾と厚みと長さの材料の正面中央に基準線２ａを設け、その基準線２ａから左右に長手方向に沿って逆方向の目盛３ａを正面に備え、全長の長さは、基準線２ａから左右の最終目盛３ａに、本体ゲージ１に装着している左右の測定本体４ａ・４ｂの長さを加えた長さで、厚みは反りの無い強度を保つことができる材料で、木材、樹脂、鋼材などを用いることができる。【００１６】  図１に示すように、本体ゲージ１に装着する左右の測定本体４ａ・４ｂは、長方形を鞘状にし、本体ゲージ１の目盛３ａに沿って移動を容易にする把手１７ａ・１７ｂと測定部１５ａ・１５ｂ・１５ｃ・１５ｄを上下正面１９ａ・１９ｂ・１９ｃ・１９ｄに設け、手で握れる長さと巾で、左右の測定本体４ａ・４ｂの上下測定部先端５ａ・５ｂ・５ｃ・５ｄ間の長さは、本体ゲージ１の全長の約３分の１前後の長さで、巾と厚みは、図４と図５で示すように、本体ゲージ１の巾と厚みに準じた材料で構成されている。【００１７】  図３に示す指針装着部の形状は長方形に等しく上下正面に指針８を挿入する挿入口１６ａ・１６ｂ図４と指針装着部の上部前面に指針指示１０を備えて、本体ゲージ１基準線２ａの背面に指針装着部を取付け、図１、図２で示すように本体ゲージ１基準線正面１８からある間隔を持って上部前面に指針指示１０を備えることで、測定本体４ａ・４ｂの上下正面１９ａ・１９ｂ・１９ｃ・１９ｄから上下測定部１５ａ・１５ｂ・１５ｃ・１５ｄの、長さの異なる上下測定部１５ａ・１５ｂ・１５ｃ・１５ｄを構成する位置の指針指示１０と指針８を指針装着部７の挿入口１６ａ・１６ｂより挿入し、挿入した指針先端９が、本体ゲージ１基準線２ａに沿って滑らかに上下に移動することが出来る構造を指針装着部７は備えている。【００１８】  図１、図２示す左右の上下測定部先端５ａ・５ｂ・５ｃ・５ｄの長さは、上下測定部先端５ａ・５ｂ・５ｃ・５ｄ間の長さ２分の１を指針指示１０から上下測定部先端５ａ・５ｂ・５ｃ・５ｄに振り分け、振り分けた長さの値と、測定本体４ａ・４ｂの上下正面１９ａ・１９ｂ・１９ｃ・１９ｄから指針指示１０までの長さの値を上下限した長さが、上下測定部先端５ａ・５ｂ・５ｃ・５ｄまでの長さで、上測定部先端５ａ・５ｂまでの長さは、測定本体４ａ・４ｂの上正面１９ａ・１９ｂから指針指示１０までの長さと、振り分けた上下測定部先端５ａ・５ｂ・５ｃ・５ｄ間の全長２分の１の長さを加えた長さが上測定部先端５ａ・５ｂの長さで、下測定部先端５ｃ・５ｄまでの長さは、測定本体４ａ・４ｂの下正面１９ｃ・１９ｄから指針指示１０までの長さを、振り分けた上下測定部先端５ａ・５ｂ・５ｃ・５ｄ間の全長２分の１の長さから減数した長さが、下測定部先端５ｃ・５ｄの長さで、測定本体４ａ・４ｂと一体と成って長さの異なる上下測定部１５ａ・１５ｂ・１５ｃ・１５ｄを本体ゲージ１の基準線２ａの左右に装着している。【００１９】  図６の指針８は、直方形の細長い形状の片側先端を指針先端９とし、指針先端から反対側先端までの長さは、図１、図２に記載の上下測定部先端５ａ・５ｂ・５ｃ・５ｄ間の長さと同じ長さで、同じ長さの指針の反対側先端部の測面に手の指先で持てる���マミ１１を取付け、指針先端９を鋭角にし、指針先端９から全長２分の１の長さの正面に基準線２ｂを設け、その基準線２ｂより指針先端９とツマミ１１方向に沿って逆方向の目盛３ｂを備え、指針装着部７の挿入口１６ａ・１６ｂの上部、又は、下部より挿入することができて、上下測定部に同一の形状で指針８を用いることができる。【００２０】  上記記載の指針８を、指針装着部７の挿入口１６ｂの下部より挿入し、指針８の基準線２ｂを指針指示１０の位置に合わせた図が図１で、図１で示すように本体ゲージ１基準線２ａの左右の測定本体４ａ・４ｂの上測定部先端５ａ・５ｂと指針８の指針先端９は同方向同位置で、図１の指針８を取り出し、図２で示す指針装着部７の挿入口１６ａの上部より挿入し、指針８の基準線２ｂを指針指示１０の位置に合わせた図が図２で、指針８の指針先端９は、左右測定本体４ａ・４ｂの下測定部先端５ｃ・５ｄと同方向同位置であって、左右の測定本体４ａ・４ｂの上下正面１９ａ・１９ｂ・１９ｃ・１９ｄの長さの異なる上下測定部１５ａ・１５ｂ・１５ｃ・１５ｄに同じ指針８を用いることができて、指針先端９は、図１、図２の本体ゲージ１の基準線２ａに沿って上下に移動し、左右の上下測定部側面６ａ・６ｂ・６ｃ・６ｄと平行に移動を行ない、また、左右の上下測定部先端５ａ・５ｂ・５ｃ・５ｄに対し、垂直の方向で指針先端９は上下に移動を行なうことができる。【００２１】  図３で示すように、本体ゲージ１基準線２ａの背面に取付けた指針装着部７の内面にバネ１２ｃを組み込むことで、指針装着部７に挿入する指針８の背面は、内面のバネ１２ｃに接しバネ１２ｃの弾力によって、上下の移動の強さを調整し、また、本体ゲージ１に装着している左右の測定本体４ａ・４ｂの内面に取付けているバネ１２ａ・１２ｂの働きで、左右の測定本体４ａ・４ｂの移動の強さを調整し滑らかな動きを持たせ、左右の測定本体４ａ・４ｂ側面の止めネジ１３ａ・１３ｂと指針装着部７の背面の止めネジ１３ｃで、指針８と左右の測定本体４ａ・４ｂの移動を固定することで、測定の値を確認し測定を行なうことができて、また、模写する作品を測定した指針先端９と上下測定部１５ａ・１５ｂ・１５ｃ・１５ｄを止めネジ１３ａ・１３ｂ・１３ｃで固定することで、測定した状態で制作する作品に指針先端９と上下測定部先端５ａ・５ｂ・５ｃ・５ｄ、又は、上下測定部側面６ａ・６ｂ・６ｃ・６ｄを直接当てて写すことができる。【００２２】  図１、図２に示すように、指針装着部７の指針指示１０の位置を本体ゲージ１基準線正面１８の上部前面に設けたことで、左右の測定本体４ａ・４ｂの上下正面１９ａ・１９ｂ・１９ｃ・１９ｄに長さの異なる測定部１５ａ・１５ｂ・１５ｃ・１５ｄを設けることが出来て、指針装着部７の指針指示１０の位置を変えることなく、指針８も同一の指針８を用いて、上下測定部１５ａ・１５ｂ・１５ｃ・１５ｄを使い分けることが出来る構造で、作品の測定する箇所の条件に合わせて、中心線から両側面の測定箇所の測定する巾と高低差を、指針８と長さの異なる上下測定部１５ａ・１５ｂ・１５ｃ・１５ｄを用いて測定箇所に直接測定部を当てて、測定することがきる特徴ある構造を持った測定器である。
【実施例２】
【００２３】  図７〜図１０は本発明の測定器を用いて作品の測定の実施について説明する。
図７は、頭の巾と額の高さの測定を額の中心線から行っている図で、指針８のツマミ１１を持って、指針先端９を額の中心線に当て、頭の左右側面の中心線の左側面に左の上測定部１５ａの測定部先端５ａと測定部側面６ａを当て、頭の右側面に右の上測定部１５ｂの測定部先端５ｂと測定部側面６ｂを挟むようにして当て、本体ゲージ１の目盛３ａを左の測定本体４ａの側面指示１４ａと右の測定本体４ｂの側面指示１４ｂで、額の中心線から頭の左側面と右側面の巾の値を確認し、頭の側面に当てた左右の上測定部先端５ａ・５ｂから額までの高さは、指針８の目盛３ｂの値を指針指示１０で確認することで、同時に３箇所の測定を行なうことができる。【００２４】  図８の実施例は、図１の上測定部１５ａ・１５ｂと長さの違いを持つ、図２の下測定部１５ｄ・１５ｃを用いて、作品の鼻の中心線から小鼻の側面の巾と高さの測定を行っている図で、測定方法は、図７と同じで、鼻の中心線に指針先端９を当て、小鼻の両側面の頬の面に左右の下測定部先端５ｄ・５ｃを接しながら、左右の下測定部側面６ｄ・６ｃを挟むように小鼻の左右側面に当て、左右の測定本体４ｂ・４ａの側面指示１４ｂ・１４ａで、本体ゲージ１の目盛３ａの値で鼻の中心線から小鼻の左右側面の巾を確認し、鼻の高さは、指針指示１０の位置で指針８の目盛３ｂの値を確認することで、鼻の中心から左右小鼻の側面までの高さを測定することができる。【００２５】  図９は、右の測定本体４ａの下測定部１５ｃと指針８を用いて、鼻の中心線から小鼻の右側面までの測定と頬の肌面から鼻の高さの測定で、左の測定本体４ｂを本体ゲージ１の左の端に移動し、鼻の中心線に指針先端９を当て、右の測定本体４ａの下測定部１５ｃを小鼻の右側面の頬の面に右の下測定部先端５ｃを接しながら、右の下測定部側面６ｃを右の測定本体４ａで小鼻の側面に移動し、小鼻の側面に接した位置で右の測定本体４ａの側面指示１４ａで、本体ゲージ１の目盛３ａの値で巾を確認し、指針指示１０で指針８の目盛３ｂの値で高さを確認することで、鼻の中心線から小鼻の右側面の巾と、頬の面から鼻の高さの２箇所を同時に測定することができる。【００２６】  図１０は、頭の左右側面の巾の測定図で、左の測定本体４ａを本体ゲージ１の基準線２ａの位置に止めネジ１３ａで固定し、その状態で頭の左側面に左の上測定部側面６ａを当て、右の測定本体４ｂの上測定部側面６ｂを頭の右側面に当て、右の測定本体４ｂの側面指示１４ｂで本体ゲージ１の目盛３ａの値を確認することで、頭の左右側面の巾を測定することができる。【００２７】  図７、図８の実施例と同じように模写を行なうには、本発明の測定器を用いて、模写する作品の中心線に指針先端９と中心線の両側の測定箇所に左右の上下測定部先端５ａ・５ｂ・５ｃ・５ｄ、又は、測定部側面６ａ・６ｂ・６ｃ・６ｄを当て、左右の測定本体４ａ・４ｂの側面指示１４ａ・１４ｂで、本体ゲージの目盛３ａの値で巾を確認し、指針指示１０で指針８の目盛３ｂの値で高低差さを確認し、測定した箇所の値を制作している作品に写し、又、測定した状態を保持するには、指針装着部７と左右の測定本体４ａ・４ｂの止めネジ１３ａ・１３ｂ・１３ｃで、指針８と左右の測定本体４ａ・４ｂを固���し、制作する作品に測定箇所と同じ測定箇所に測定部を当てることで、正確に模写すことができる。【００２８】  以上の実施例による作品の測定は、制作する段階で中心線と左右側面の形状が多様に変化して行く測定条件であっても、長さの異なる上下測定部１５ａ・１５ｂ・１５ｃ・１５ｄを測定箇所の条件によって、使い分けて測定を行なうことで、測定箇所と測定部先端５ａ・５ｂ・５ｃ・５ｄ、又は、測定部側面６ａ・６ｂ・６ｃ・６ｄの測定間隔を選ぶことができ、測定がし易く、任意の測定箇所を正確に測定することができて、実施例に示すように、作品の中心線から左右側面の測定箇所の片側、又は両側の巾と、高低差を同時に３箇所の測定を行うことができる本発明の特徴ある測定器である。
【産業上の利用可能性】
【００２９】  本発明の測定器を用いることで、誰でもが作品の中心線から両側の測定箇所に直接、指針先端と測定部を当てて正確で、速やかに、測定を行なうことが出来ることで、彫刻教室、彫刻家のサークル、彫刻愛好家など、彫刻を目指す初心者の多くの人が彫刻に親しみを覚えることで貢献できる。
【符合の説明】
【００３０】１                              本体ゲージ
２ａ・２ｂ                      基準線
３ａ・３ｂ                      目盛
４ａ・４ｂ                      測定本体
５ａ・５ｂ・５ｃ・５ｄ          上下測定部先端
６ａ・６ｂ・６ｃ・６ｄ          上下測定部側面
７                              指針装着部
８                              指針
９                              指針先端
１０                            指針指示
１１                            ツマミ
１２ａ・１２ｂ・１２ｃ          バネ
１３ａ・１３ｂ・１３ｃ          止めネジ
１４ａ・１４ｂ                  側面指示
１５ａ・１５ｂ                  上測定部
１５ｃ・１５ｄ                  下測定部
１６ａ・１６ｂ                  挿入口
１７ａ・１７ｂ                  把手
１８                            基準線正面
１９ａ・１９ｂ・１９ｃ・１９ｄ  上下正面
【図１】
0005283022.tif 000002
【図２】
0005283022.tif 000003
【図３】
0005283022.tif 000004
【図４】
0005283022.tif 000005
【図５】
0005283022.tif 000006
【図６】
0005283022.tif 000007
【図７】
0005283022.tif 000008
【図８】
0005283022.tif 000009
【図９】
0005283022.tif 000010
【図１０】
0005283022.tif 000011